(57)【要約】  【課題】  保守点検等に行われる火災感知器の発報試験作業における試験履歴情報及び火災感知器の状態履歴情報等の各種情報を火災感知器に記録でき、また、外部から読み出せるようにすること。  【解決手段】  火災現象に関する物理量を検出し、該検出した物理量に応じた物理量レベルを出力する火災検出回路と、前記物理量レベルに基づいて火災を検出する制御回路とを備え、火災検出時に確認灯を点灯させる火災感知器において、外部に設けられたリーダライタにより非接触でデータを読み出し、かつ、書き込みされるとともに、前記制御回路により電気的に接続されて、データを読み出し、かつ、書き込みされるＩＣタグ部を備えた。  【選択図】  図６
2005267423.tif 000002
【特許請求の範囲】
【請求項１】
火災現象に関する物理量を検出し、該検出した物理量に応じた物理量レベルを出力する火災検出回路と、前記物理量レベルに基づいて火災を検出する制御回路とを備え、火災検出時に確認灯を点灯させる火災感知器において、
外部に設けられたリーダライタにより非接触でデータを読み出し、かつ、書き込みされるとともに、前記制御回路により電気的に接続されて、データを読み出し、かつ、書き込みされるＩＣタグ部を備えたことを特徴とする火災感知器。
【請求項２】
前記ＩＣタグ部は、前記リーダライタにより発報試験作業の試験履歴情報を書き込まれるとともに、前記制御回路によりこの火災感知器の状態履歴情報を書き込まれることを特徴とする請求項１記載の火災感知器。
【請求項３】
前記火災感知器の状態履歴情報は、前記火災検出回路が出力する一定期間毎の物理量レベルによる物理量レベル履歴情報、または、前記制御回路による火災の検出に基づく実火災履歴情報であることを特徴とする請求項１または２のいずれかに記載の火災感知器。
【請求項４】
前記制御回路は、火災を検出したときに、前記ＩＣタグ部に前記発報試験作業の試験履歴情報が追加で書き込まれたか否かを判断し、追加で書き込まれた場合は、前記実火災履歴情報を書き込むことを特徴とする請求項３記載の火災感知器。
【請求項５】
前記リーダライタは、擬似火災発生手段を備えた火災感知器の動作試験器に設けられており、該火災感知器の動作試験器は、前記リーダライタにより前記ＩＣタグ部に対して、前記発報試験作業の試験履歴情報を書き込み可能であることを特徴とする請求項１〜４に記載の火災感知器。
【請求項６】
火災感知器に設けられて該火災感知器の状態履歴情報が書き込まれるＩＣタグ部に対して非接触でデータを読出し、かつ書込み可能なリーダライタと、擬似火災発生手段と、を備えた火災感知器の動作試験器であって、
前記火災感知器に設けられた前記ＩＣタグ部に対して、発報試験作業の試験履歴情報を書き込み可能であることを特徴とする火災感知器の動作試験器。
【請求項７】
前記火災感知器に設けられた確認灯の発光を受光する受光部を備え、前記受光部が前記確認灯の発光を受光することで、発報試験作業時に前記火災感知器が試験発報したと判断して、前記火災感知器に設けられた前記ＩＣタグ部に対して、前記発報試験作業の試験履歴情報を書き込むことを特徴とする請求項６記載の火災感知器の動作試験器。
【請求項８】
前記擬似火災発生手段が擬似火災状態になってから所定時間内に前記受光部が前記確認灯の発光を受光することで、発報試験作業時に前記火災感知器が試験発報したと判断することを特徴とする請求項７記載の火災感知器の動作試験器。
【請求項９】
前記所定時間は、前記火災感知器に設けられた前記ＩＣタグ部に予め記憶された感度種別情報及び蓄積情報に基づき決定されることを特徴とする請求項８記載の火災感知器の動作試験器。
【発明の詳細な説明】
【技術分野】
【０００１】
本発明は、保守点検等に行われる火災感知器の発報試験作業における試験履歴情報及び火災感知器の状態履歴情報等の各種情報を火災感知器側に記録でき、また、外部から読み出せるようにした火災感知器及び火災感知器の動作試験器に関する。
【背景技術】
【０００２】
火災受信機に試験復旧スイッチを備え、試験復旧スイッチが操作されたときには、火災感知器から受信した火災信号を、順番に記憶手段に記憶させるようにして、これにより、火災感知器に動作試験器を近づける作業、いわゆる「あぶり試験」を一通り終えた後に、記憶手段に記憶した火災信号を読み出すことができるようにしたものがある。そのため、検査員は、保守点検等に行われる火災感知器の発報試験作業における試験結果を確認できる。（例えば、特許文献１参照）。また、一般的に、火災感知器は、火災現象に関する物理量を検出し、該検出した物理量に応じた物理量レベルを出力する火災検出回路と、物理量レベルに基づいて火災を検出する制御回路とを備え、火災検出時に確認灯を点灯させる。
【特許文献１】特開平１２−９９８４２号公報
【発明の開示】
【発明が解決しようとする課題】
【０００３】
検査員は、試験漏れの火災感知器があった場合は、この火災感知器の発報試験作業を速やかに行う必要があるが、検査員は、火災感知器側に試験履歴情報が残っていないため、試験漏れの火災感知器を見つけることができなかった。
【０００４】
また、検査員は、火災感知器が正常に発報したか否かにより、火災感知器が正常または異常であるかを確認できるのみである。火災感知器の火災検出回路は、例えば煙感知器では暗箱などによって構成されており、経時的な内部の汚れ増大などにより、火災感知器が誤報する方向に、物理量レベルの出力上昇が生じたり、また、火災検出回路の故障などにより、火災感知器が失報する方向に、物理量レベルの出力低下が生じたりする。そのため、火災感知器の発報試験作業時に、このような物理量レベル履歴情報を、検査員が確認できれば、検査員自身により、前もって故障する可能性を判断でき、新しい火災感知器に交換するなどの対処を行えるので、好都合である。また、この物理量レベル履歴情報と、例えば火災感知器の実火災履歴情報は、経時的な火災感知器の状態履歴情報であり、この状態履歴情報を検査員が確認できれば、火災感知器が故障していた場合における故障原因究明などにも有効である。
【０００５】
なお、発報試験作業時のみに限らず、火災感知器の発報試験作業における試験履歴情報及び火災感知器の状態履歴情報等の各種情報を火災感知器側に記録でき、また、外部から読み出せるようにすれば、火災感知器に関する各種情報を火災感知器側で一元管理でき、また、いつでも外部から読み出して、火災感知器の故障の予知判断や故障時の故障原因究明などの様々な対応を図ることができる。
【０００６】
本発明は、上記課題を解決するためになされたもので、保守点検等に行われる火災感知器の発報試験作業における試験履歴情報及び火災感知器の状態履歴情報等の各種情報を火災感知器に記録でき、また、外部から読み出せるようにすることを目的とする。
【課題を解決するための手段】
【０００７】
本発明は、火災現象に関する物理量を検出し、該検出した物理量に応じた物理量レベルを出力する火災検出回路と、前記物理量レベルに基づいて火災を検出する制御回路とを備え、火災検出時に確認灯を点灯させる火災感知器において、外部に設けられたリーダライタにより非接触でデータを読み出し、かつ、書き込みされるとともに、前記制御回路により電気的に接続されて、データを読み出し、かつ、書き込みされるＩＣタグ部を備えたことを特徴とする。
【０００８】
また、前記ＩＣタグ部は、前記リーダライタにより発報試験作業の試験履歴情報を書き込まれるとともに、前記制御回路によりこの火災感知器の状態履歴情報を書き込まれることを特徴とする。
【０００９】
また、前記火災感知器の状態履歴情報は、前記火災検出回路が出力する一定期間毎の物理量レベルによる物理量レベル履歴情報、または、前記制御回路による火災の検出に基づく実火災履歴情報であることを特徴とする。
【００１０】
また、前記制御回路は、火災を検出したときに、前記ＩＣタグ部に前記発報試験作業の試験履歴情報が追加で書き込まれたか否かを判断し、追加で書き込まれた場合は、前記実火災履歴情報を書き込むことを特徴とする。
【００１１】
また、前記リーダライタは、擬似火災発生手段を備えた火災感知器の動作試験器に設けられており、該火災感知器の動作試験器は、前記リーダライタにより前記ＩＣタグ部に対して、前記発報試験作業の試験履歴情報を書き込み可能であることを特徴とする。
【００１２】
また本発明は、火災感知器に設けられて該火災感知器の状態履歴情報が書き込まれるＩＣタグ部に対して非接触でデータを読出し、かつ書込み可能なリーダライタと、擬似火災発生手段と、を備えた火災感知器の動作試験器であって、前記火災感知器に設けられた前記ＩＣタグ部に対して、発報試験作業の試験履歴情報を書き込み可能であることを特徴とする。
【００１３】
また、前記火災感知器に設けられた確認灯の発光を受光する受光部を備え、前記受光部が前記確認灯の発光を受光することで、発報試験作業時に前記火災感知器が試験発報したと判断して、前記火災感知器に設けられた前記ＩＣタグ部に対して、前記発報試験作業の試験履歴情報を書き込むことを特徴とする。
【００１４】
また、前記擬似火災発生手段が擬似火災状態になってから所定時間内に前記受光部が前記確認灯の発光を受光することで、発報試験作業時に前記火災感知器が試験発報したと判断することを特徴とする。
【００１５】
また、前記所定時間は、前記火災感知器に設けられた前記ＩＣタグ部に予め記憶された感度種別情報及び蓄積情報に基づき決定されることを特徴とする。
【発明の効果】
【００１６】
請求項１記載の発明によれば、火災感知器は、外部に設けられたリーダライタにより非接触でデータを読み出し、かつ、書き込みされるとともに、火災感知器の制御回路により電気的に接続されて、データを読み出し、かつ、書き込みされるＩＣタグ部を備えている。そのため、火災感知器側に設けられたＩＣタグ部に、リーダライタ及び制御回路により様々なデータを記憶することが可能となり、また、リーダライタにより、様々なデータをいつでも読み出せることができる。
【００１７】
請求項２記載の発明によれば、ＩＣタグ部は、リーダライタにより発報試験作業の試験履歴情報を書き込まれるとともに、制御回路によりこの火災感知器の状態履歴情報を書き込まれる。そのため、火災感知器側に設けられたＩＣタグ部に、リーダライタ及び制御回路により、発報試験作業の試験履歴情報及び火災感知器の状態履歴情報を記憶することが可能となるので、火災感知器に関する各種情報を火災感知器側で一元管理できる。また、リーダライタにより、発報試験作業の試験履歴情報及び火災感知器の状態履歴情報をいつでも読み出せることができる。
【００１８】
請求項３記載の発明によれば、火災感知器の状態履歴情報は、火災検出回路が出力する一定期間毎の物理量レベルによる物理量レベル履歴情報、または、制御回路による火災の検出に基づく実火災履歴情報である。そのため、火災感知器側に設けられたＩＣタグ部に、物理量レベル履歴情報または実火災履歴情報を記憶することが可能となる。また、リーダライタにより、物理量レベル履歴情報または実火災履歴情報をいつでも読み出せることができ、火災感知器の故障の予知判断や故障時の故障原因究明などの様々な対応を図ることができる。
【００１９】
請求項４記載の発明によれば、制御回路は、火災を検出したときに、ＩＣタグ部に発報試験作業の試験履歴情報が追加で書き込まれたか否かを判断し、追加で書き込まれた場合は、実火災履歴情報を書き込む。そのため、発報試験作業による擬似火災と実火災とを区別して、ＩＣタグ部に記憶でき、重複して記憶されることがない。
【００２０】
請求項５記載の発明によれば、リーダライタは、擬似火災発生手段を備えた火災感知器の動作試験器に設けられており、該火災感知器の動作試験器は、リーダライタによりＩＣタグ部に対して、発報試験作業の試験履歴情報を書き込み可能である。そのため、火災感知器の発報試験作業時に、火災感知器が正常発報した場合でも、読み出した物理量レベル履歴情報を、検査員が確認することで、検査員自身により、前もって故障する可能性を判断でき、新しい火災感知器に交換するなどの対処を行える。また、火災感知器が正常発報せず故障であった場合には、物理量レベル履歴情報及び火災感知器の実火災履歴情報を確認して、故障原因究明などを有効に行える。また、発報試験作業時に点検漏れの火災感知器があった場合でも、検査員は、動作試験器で火災感知器側の試験履歴情報を確認することで、試験漏れの火災感知器を容易に見つけることができる。
【００２１】
請求項６記載の発明によれば、火災感知器の動作試験器は、火災感知器に設けられて該火災感知器の状態履歴情報が書き込まれるＩＣタグ部に対して非接触でデータを読出し、かつ書込み可能なリーダライタと、擬似火災発生手段と、を備えており、火災感知器に設けられたＩＣタグ部に対して、発報試験作業の試験履歴情報を書き込み可能である。そのため、火災感知器側に設けられたＩＣタグ部に、リーダライタ及び火災感知器自体により、発報試験作業の試験履歴情報及び火災感知器の状態履歴情報を記憶することが可能となるので、火災感知器に関する各種情報を火災感知器側で一元管理できる。また、リーダライタにより、発報試験作業の試験履歴情報及び火災感知器の状態履歴情報をいつでも読み出せることができる。
【００２２】
そのため、火災感知器の発報試験作業時に、火災感知器が正常発報した場合でも、読み出した物理量レベル履歴情報（火災感知器の状態履歴情報の一部）を、検査員が確認することで、検査員自身により、前もって故障する可能性を判断でき、新しい火災感知器に交換するなどの対処を行える。また、火災感知器が正常発報せず故障であった場合には、物理量レベル履歴情報及び火災感知器の実火災履歴情報（火災感知器の状態履歴情報の一部）を確認して、故障原因究明などを有効に行える。また、発報試験作業時に点検漏れの火災感知器があった場合でも、検査員は、動作試験器で火災感知器側の試験履歴情報を確認することで、試験漏れの火災感知器を容易に見つけることができる。
【００２３】
請求項７記載の発明によれば、火災感知器の動作試験器は、火災感知器に設けられた確認灯の発光を受光する受光部を備えており、受光部が確認灯の発光を受光することで、発報試験作業時に火災感知器が試験発報したと判断して、火災感知器に設けられたＩＣタグ部に対して、発報試験作業の試験履歴情報を書き込む。そのため、火災感知器側に発報試験作業の試験履歴情報を自動的に記録できる。
【００２４】
請求項８記載の発明によれば、火災感知器の動作試験器は、擬似火災発生手段が擬似火災状態になってから所定時間内に受光部が確認灯の発光を受光することで、発報試験作業時に火災感知器が試験発報したと判断する。そのため、発報試験作業時における火災感知器の機能の正常異常の判断を、時間効率よく行うことができる。
【００２５】
請求項９記載の発明によれば、請求項８における所定時間は、火災感知器に設けられたＩＣタグ部に予め記憶された感度種別情報及び蓄積情報に基づき決定される。そのため、発報試験作業時における火災感知器の機能の正常異常の判断を、さらに時間効率よく行うことができる。
【発明を実施するための最良の形態】
【００２６】
この発明の第１実施例を図１〜図７により説明する。図２、図３に示すように、天井板１にはベース２が設けられ、このベース２には、火災感知器の一例として煙感知器３が係止されている。
【００２７】
この煙感知器３の煙導入部３ａの外側には、複数のリブ５が周方向に間隔をおいて配設され、該リブ５の脚部近傍には、発報時に点灯する確認灯６が設けられている。
【００２８】
また、詳細に図示していないが、複数の煙感知器３が、信号線Ｃ，Ｌとしてのコモン線Ｃとライン線Ｌ（図６）との間に並列に接続されており、この煙感知器３が火災受信機（図示せず）と信号線Ｃ，Ｌで接続されて火災報知設備を構成している。
【００２９】
つぎに、図６に基づいて、煙感知器３の構成について説明すると、この煙感知器３は、火災受信機（図示せず）から信号線Ｃ，Ｌに印加される電源電圧を取り込む電源回路５６と、例えば煙等の火災現象に関する物理量を検出し、該検出した物理量に応じた物理量レベルを出力する火災検出回路５１と、煙感知器３の全体の制御を行うとともに、前記物理量レベルに基づいて火災を検出する制御回路５２とを備えており、この制御部５２内部には時計部５２Ａが設けられている。
【００３０】
また、煙感知器３は、電源回路５６からの電源電圧を取り込んで、火災検出回路５１と制御回路５２に一定電圧を供給する定電圧回路５３と、火災検出時に確認灯６を点灯させる確認灯回路５４と、火災検出時に信号線Ｃ，Ｌ上に火災信号を出力する火災信号出力回路５５と、ＩＣタグ部５０とを備えている。
【００３１】
このＩＣタグ部５０は、シート状の非接触型ＩＣタグ、つまり、ＲＦＩＤ（ｒａｄｉｏ ｆｒｅｑｕｅｎｃｙ ｉｄｅｎｔｉｆｉｃａｔｉｏｎ）であり、その構造としては、詳細には説明しないが、外部からの情報（データ）の書き込み及び読み出しが可能な情報記憶部としてのＩＣモジュール５０Ｂと、ＩＣモジュール５０Ｂと接続され、外部に設けられたリーダライタ（一例として、図１の動作試験器１０のリーダライタ１６）からの電磁誘導によりＩＣモジュール５０Ｂに電流を供給し、ＩＣモジュール５０Ｂに対する情報の書き込み及び読み出しを非接触状態にて行うための無線部としての導電性のアンテナ５０Ａとを樹脂シート（図示略）上に搭載し、その表面を表面シート（図示略）により覆い保護しているものであり、樹脂シート裏面に設けられた両面テープ（図示略）により煙感知器３の内部のプリント基板（図示せず）に貼付されている。
【００３２】
上記のように構成されたＩＣタグ部５０においては、外部に設けられたリーダライタ１６を近接させることにより、リーダライタ１６からの電磁誘導によりアンテナ５０ＡからＩＣモジュール５０Ｂに電流が供給され、それにより、非接触状態において、リ−ダライタ１６からＩＣモジュール５０Ｂに情報を書き込んだり、ＩＣモジュール５０Ｂに書き込まれた情報をリーダライタ１６にて読み出したりすることができる。
【００３３】
また、ＩＣタグ部５０のＩＣモジュール５０Ｂは、制御回路５２と電気的に接続されており、制御回路５２によりＩＣモジュール５０Ｂに電流を供給し、ＩＣモジュール５０Ｂに対する情報の書き込み及び読み出しを接触状態にて行うことが可能となっている。
【００３４】
なお、ＩＣモジュール５０Ｂに書き込まれる情報は、この煙感知器３（火災感知器）に関する各種情報であり、例えば、後述して詳細に説明するように、動作試験器１０のリーダライタ１６による発報試験作業の試験履歴情報、及び制御回路５２による、例えば物理量レベル履歴情報や実火災履歴情報などの火災感知器の状態履歴情報である。
【００３５】
また、このＩＣタグ部５０のＩＣモジュール５０Ｂには、ＩＣタグ番号、火災感知器の照合番号（型式番号、製造年、製造番号、棟階室位置番号、など）、感知器種別（煙、熱、炎、など）、感度種別（１種、２種、３種、など）、蓄積種別（蓄積型、非蓄積型、など）や、報告書作成時に必要な情報などの感知器設定情報が予め書き込まれている。なお、火災感知器のＩＣタグ番号は、個々の火災感知器毎にそれぞれ異なっている。
【００３６】
なお、後述して詳細に説明するように、発報試験作業時に、煙感知器３が試験発報した場合、ＩＣモジュール５０Ｂに、動作試験器１０のリーダライタ１６により発報試験作業の試験履歴情報が書き込まれることを利用して、制御回路５２は、火災を検出した場合、ＩＣモジュール５０Ｂに試験履歴情報が追加で書き込まれたか否かにより、発報試験作業時における擬似火災を検出したか、または実火災を検出したかを判別している。そして、実火災検出時には、ＩＣモジュール５０Ｂに実火災履歴情報を書き込むようになっている。
【００３７】
つぎに、火災感知器としての煙感知器３の動作を、制御回路５２の動作に基づいて、図７のフローチャートにより説明する。
【００３８】
まず、制御回路５２は、火災検出回路５１の物理量レベルを例えば５秒の一定周期でサンプリングして（Ｓ１）、この物理量レベルに基づき火災を検出したか否かを判断する（Ｓ２）。火災を検出しない場合は（Ｓ２）、前回ＩＣモジュール５０Ｂに、物理量レベル履歴情報（物理量レベルと、それを記憶したときの時計部５２Ａによる年月日時刻情報）を記憶したときから一定期間（例えば、１ヶ月）経過したか否かを判断する（Ｓ３）。一定期間経過していない場合は（Ｓ３）、ステップＳ１へ戻り、また、一定期間経過した場合は（Ｓ３）、今回サンプリングした物理量レベルと、時計部５２Ａによる年月日時刻情報とを物理量レベル履歴情報として、ＩＣモジュール５０Ｂに記憶して（Ｓ４）、ステップＳ１へ戻る。
【００３９】
ステップＳ２において、火災を検出した場合は（Ｓ２）、火災信号出力回路５５を制御して、火災信号出力回路５５から火災信号を信号線Ｃ，Ｌ上に出力させる。また、確認灯回路５４を制御して、確認灯６を点灯させる（Ｓ５）。なお、信号線Ｃ，Ｌ上に出力された火災信号を火災受信機（図示せず）が受信して、表示することで、火災発生が報知される。
【００４０】
つぎに、制御回路５２は、この火災の検出が、発報試験作業における擬似火災によるものなのか、または、実火災によるものなのかを判断するため、ＩＣモジュール５０Ｂに試験履歴情報が追加記憶されたか否かを判断する（Ｓ６）。ＩＣモジュール５０Ｂに試験履歴情報が追加記憶されてない場合は、この火災の検出が、実火災によるものであると判断して（Ｓ６）、この実火災検出情報と、時計部５２Ａによる年月日時刻情報とを実火災履歴情報として、ＩＣモジュール５０Ｂに記憶して（Ｓ７）、終了する。また、ＩＣモジュール５０Ｂに試験履歴情報が追加記憶されている場合は、この火災の検出が、発報試験作業における擬似火災によるものであると判断して（Ｓ６）、実火災履歴情報をＩＣモジュール５０Ｂに記憶することなく、終了する。
【００４１】
つぎに、図１、図４、図５に基づいて、火災感知器の動作試験器１０について説明する。
【００４２】
動作試験器１０は、頭部１１と、足部１２と、前記頭部１１と足部１２とを連結するロッド部１３と、を備えている。
【００４３】
頭部１１は、検知円筒部１１ａと、該円筒部１１ａより小径の収容円筒部１１ｂと、を備えている。検知円筒部１１ａの上内面に連続する（陥没する）逆円錐台面には、ＩＣタグ部５０に対して非接触で情報を読出し、かつ書込み可能なリーダライタ１６と、装着確認スイッチ１７と、リブ係合部１８が設けられ、また、該逆円錐台面に連続する凹部には確認灯６の発光を受光する受光部２１が設けられ、さらに、該逆円錐台面に連続する円錐面にはガス出口２０が設けられている。該頭部１１の外周面には、ブザー２２が設けられている。
【００４４】
収容円筒部１１ｂ内には、擬似火災発生手段の一例としてのガスボンベ２５が設けられ、このガスボンベ２５は、連結パイプ２６を介してガス出口２０に連通している。このガスボンベ２５のバルブ２７は、操作杆２８を介してレバー３０に連結されている。
【００４５】
ロッド部１３の基部には、前記レバー３０と、直前データ消去スイッチ３１が設けられている。
【００４６】
足部１２には、メインスイッチ３５と、プリンタ用スイッチ３６と、デジタル転送用スイッチ３７と、ＩＣタグ情報表示部３８と、プリンタ３９と、が設けられている。
【００４７】
なお、動作試験器１０の足部１２には、制御部４０と記憶部４１、及び時計部４２が設けられている。この制御部４０は、動作試験器１０の全体を制御するものであり、この制御部４０に対して、リーダライタ１６、装着確認スイッチ１７、受光部２１、ブザー２２、レバー３０の動作に連動してオンオフする試験開始スイッチ４３、直前データ消去スイッチ３１、メインスイッチ３５、プリンタ用スイッチ３６、デジタル転送用スイッチ３７、ＩＣタグ情報表示部３８、プリンタ３９、記憶部４１、時計部４２が電気的に接続されている。
【００４８】
次に、本実施例の作動について説明する。火災感知器の発報試験作業において、検査員が動作試験器１０を持ち、試験対象の煙感知器３の下まで移動する。メインスイッチ３５及び直前データ消去スイッチ３１をオンにして、リセットした後、該動作試験器１０の頭部１１を該感知器３に近づけ、リブ係合部１８をリブ５に当接させながら検知円筒部１１ａに差し込む。
【００４９】
そうすると、装着確認スイッチ１７がオンになり、リーダライタ１６が、ＩＣタグ部５０内の情報の読み込みを開始し、ＩＣタグ部５０に入力されている感知器設定情報及び火災感知器の状態履歴情報等の各種情報を足部１２の記憶部４１に送出する。制御部４０は、この感知器設定情報及び火災感知器の状態履歴情報等の各種情報を表示部３８に表示させる。
【００５０】
レバー３０を引いてバルブ２７を開くと、試験開始スイッチ４３がオンになるとともに、ガスボンベ２５内のガスがガス出口２０から煙感知器３の煙導入部３ａに向かって噴射され、疑似火災の状態が発生する。
【００５１】
煙感知器３の機能が正常であれば、所定時間経過するまでに煙感知器３が試験発報して、確認灯６が点灯発光する。すると、この点灯発光を確認灯６に対向している受光部２１が受光するため、制御部４０は煙感知器３が正常に試験発報したと判断し、この試験履歴情報として、時計部４２による発報年月日時刻情報及び正常情報を、この火災感知器の感知器設定情報及び火災感知器の状態履歴情報等の各種情報と対応させて、足部１２の記憶部４１に記憶させる。煙感知器３の機能が正常でなければ、所定時間経過するまでに煙感知器３が試験発報せず、確認灯６が点灯発光しないので、制御部４０は煙感知器３が異常であると判断し、この試験履歴情報として、時計部４２による発報年月日時刻情報及び異常情報を、この火災感知器の感知器設定情報及び火災感知器の状態履歴情報等の各種情報と対応させて、足部１２の記憶部４１に記憶させる。
【００５２】
また、制御部４０は、リーダライタ１６を制御して、この試験履歴情報を煙感知器３のＩＣタグ部５０に書き込み、また、この試験履歴情報を表示部３８に表示させ、ブザ−２２を鳴動させる。なお、この時、試験発報した場合は、火災信号が受信機に送出される。
【００５３】
検査員は、ブザー２２の鳴動により、発報試験が終了したと判断し、表示部３８の表示により発報試験結果を確認する。そして、煙感知器３が異常の場合は、動作試験器１０を所定方向に回し、ベース２と煙感知器３との係合を解除し、該試験器１０の頭部１１を下げて該煙感知器３を降ろす。そして、変わりに新しい煙感知器３を前記ベース２に取り付けるようにする。
【００５４】
このとき、表示部３８に表示されている火災感知器の状態履歴情報、つまり、物理量レベル履歴情報及び火災感知器の実火災履歴情報を確認して、故障原因究明などを行ってもよい。また、発報試験作業終了後に、記憶部４１に記憶された火災感知器の状態履歴情報を用いて、故障原因究明などを行ってもよい。
【００５５】
また、煙感知器３が正常発報した場合でも、読み出した物理量レベル履歴情報を、検査員が確認することで、検査員自身により、前もって故障する可能性が高いと判断したら、新しい煙感知器３に交換するなどの対処を行ってもよい。
【００５６】
なお、火災感知器の機能の正常異常の判断基準として、制御部４０は、記憶部４１内に記憶された感知器設定情報における感度種別情報及び蓄積情報から、この試験対象の火災感知器の最適な試験時間を計算して、記憶部４１に記憶しており、そして、レバー３０が引き下げられて擬似火災の状態が発生してから、つまり、試験開始スイッチ４３がオンになってから試験発報するまでの時間がこの試験時間（所定時間）内であるか否かにより、正常又は異常を判別している。
【００５７】
つまり、火災感知器が故障している場合、検査員が、この火災感知器に対する発報試験をいつまでも継続し続けることにより、次の火災感知器の発報試験に移れずに、発報試験作業が効率よく行えないことが考えられる。ここで、試験対象の火災感知器は、感度種別や、蓄積型非蓄積型であるかにより、擬似火災の状態が発生してから、試験発報するまでの時間が異なってくることを踏まえて、これらに基づき算出された所定時間の間、擬似火災の状態を継続させても試験発報しなかった場合に、故障と判断させることで、発報試験作業を効率よく行えるようにしている。
【００５８】
そして、ブザー２２が鳴動するごとに順次点検を進めて行き、この様な工程を繰り返して各階の全感知器の試験を行い、それが終了したら、プリンタ用スイッチ３６をオンすれば、記憶部４１に記憶された試験履歴情報を含む各種情報をプリンタ３９から出力して、発報試験作業の結果及び火災感知器の状態履歴等を確認できる。また、デジタル転送用スイッチ３７をオンすれば、記憶部４１に記憶された試験履歴情報を含む各種情報を、動作試験器１０のコネクタ（図示略）に接続したパソコン等の外部機器にデジタル転送できる。そして、これらにより、記憶部４１に記憶された試験履歴情報を含む各種情報を出力して点検報告書等を作成できたり、火災感知器の状態履歴等を確認できる。
【００５９】
従来の感知器の発報試験作業の試験履歴情報は、受信機側に記憶されるだけだったので、試験漏れがあった場合、この火災感知器を見つけることが困難であったが、そのような場合でも、動作試験器１０で火災感知器のＩＣタグ部５０に記憶された試験履歴情報を読み出して確認することにより、試験漏れの火災感知器を容易に見つけることができる。
【００６０】
この発明の実施例は、上記に限定されるものではなく、例えば、次のようにしても良い。
（１）火災感知器において、正常に火災を検出できるか否かを試験する試験回路を有する場合は、火災感知器の状態履歴情報として、この試験回路により出力される、一定期間毎の電圧レベル履歴情報をＩＣタグ部５０に書き込むようにしてもよい。この試験回路としては、例えば、熱感知器においては、制御回路に対して火災と判断される物理量レベルに相当する電圧入力を行う試験電圧発生回路、また、煙感知器においては、暗箱内で物理量レベルを出力する受光素子と対向して設けられて、受光素子が火災時と同等の光を受光できるような発光レベルで発光する試験用発光素子に対して、発光用の電圧入力を行う発光制御回路である。
（２）リーダライタは図4ではＩＣタグ部と近接するような位置に配設されているが、近接していなくとも無線通信可能な距離に配設されていればよい。
（３）ＩＣタグ部は、感熱素子部（サーミスタ）として機能することが公知であり、火災感知器が熱感知器である場合には、火災検出部としての感熱素子部とＩＣタグ部とを一体化してもよい。
（４）動作試験器にキーボード等の入力部を設ける。そして、動作試験器の入力部により、火災感知器のＩＣタグ部に試験履歴情報などの各種情報を手動で書き込めるようにする。
（５）熱感知器の動作試験器の疑似火災発生手段としては、ガスボンベのガスの代わりに、発熱体が用いられる。
【図面の簡単な説明】
【００６１】
【図１】本発明の第１実施例を示す斜視図である。
【図２】天井板に設置されている煙感知器を示す斜視図である。
【図３】天井板に設置されている煙感知器の縦断面縮小図である。
【図４】使用状態を示す縦断面図である。
【図５】動作試験器の概略ブロック回路図である。
【図６】火災感知器の概略ブロック回路図である。
【図７】火災感知器における制御回路の動作を示すフローチャートである。
【符号の説明】
【００６２】
２  ベース
３  煙感知器（火災感知器）
６  確認灯
１０  動作試験器
１６  リーダライタ
２５  ガスボンベ
５０  ＩＣタグ部
５１  火災検出回路
５２  制御回路
５４  確認灯回路
５５  火災信号出力回路
５６  電源回路
【図１】
2005267423.tif 000003
【図２】
2005267423.tif 000004
【図３】
2005267423.tif 000005
【図４】
2005267423.tif 000006
【図５】
2005267423.tif 000007
【図６】
2005267423.tif 000008
【図７】
2005267423.tif 000009